(57)【要約】【課題】複数の水路のピーク流出量をそれぞれ緩和して小規模の施設で雨水排水することができる水路系の雨水排水システムを提供する。【解決手段】放水路に接続された複数の水路が相互に連結水路で連結され、前記複数の水路の水位差により水位の高い水路の雨水が連結水路を通って水位の低い他の水路へ貯留される水路系が形成されている水路系の雨水排水システム。【選択図】図１
2006037478.tif 000002
【特許請求の範囲】
【請求項１】
放水路に接続された複数の水路が相互に連結水路で連結され、前記複数の水路の水位差により水位の高い水路の雨水が連結水路を通って水位の低い他の水路へ貯留される水路系が形成されていることを特徴とする水路系の雨水排水システム。
【請求項２】
放水路にさらに別の放流口を設けたことを特徴とする請求項１記載の水路系の雨水排水システム。
【発明の詳細な説明】
【技術分野】
【０００１】
本発明は、複数の水路について雨水を水位差により転流させることによって水路のピーク流出量、最高水位を低減させて水路系全体の排水能力を改善することができる水路系の雨水排水システムに関する。
【背景技術】
【０００２】
最近、局地的豪雨があった際、河川、下水道などの水路の整備水準を上回る降雨によって、雨水の流出量がピーク流出量を超えて水路から氾濫したりしている。また、都市部では土地の高度利用が進んでコンクリート舗装やビル建設などで緑地などの浸透面積の減少によって土地による排水能力が低下して雨水の流出量が増加し、流出量がピーク流出量を超えて水路からあふれ、地下鉄や地下街に流れ込む浸水被害が発生している。このため、雨水排水の整備の必要性が高くなっている。
【０００３】
図５（ａ）は改修前の水路の系統図、（ｂ）、（ｃ）及び（ｄ）は各水路のハイドログラフである。
【０００４】
図５（ａ）に示すように、水路Ａ、水路Ｂ、水路Ｃは放水路Ｅに連結され、各水路の雨水が放水路Ｅへ流れ込む。水路Ａ、水路Ｂ、水路Ｃはそれぞれ独立しているので、水路Ａ、水路Ｂ及び水路Ｃのそれぞれのピーク流出量は、例えば、図５（ｂ）、（ｃ）及び（ｄ）のハイドログラフに示すように、Ｑ１、Ｑ２及びＱ３となる。各水路は独立しているために、豪雨により雨水の流出量がピーク流出量を超えると水路が氾濫することになる。
【０００５】
雨水の流出量がピーク流出量を超えないようにするため、従来の雨水排水システムでは、雨水を一時的に貯留する調整池を上流部に設けたり、大規模な立坑を設けたりすることが知られている。例えば、特許文献１には、水路の氾濫を防ぐために、一定地域の雨水を複数の水路に集めて河川に放流し、各水路にはバイパス路を設けて、このバイパス路に回りの雨水が流入するとともに水路の水を一時的に導いて貯水する調整池を設け、河川の流量、調整池の水位を測定し、その両測定値に基づき、水路の流量及び調整池の流出入水量を制御する雨水排水システムが開示されている。
【特許文献１】特開平１１−２５６６６６号公報
【発明の開示】
【発明が解決しようとする課題】
【０００６】
前記の雨水排水システムでは、各水路毎にバイパス及び調整池を設けなくてはならず、さらに、水路及び調整池の水の流れ方向は同じ水路による一方向の流れを前提としているため、水路の流出量がピーク流出量を超えると、流量の調整ができなくなるので、ピーク流出量に応じた施設設計を行うためには、施設の規模が大きくなり、且つこの大規模な施設を水路毎に設けなくてはならないため、全体の建設費がきわめて高価なものとなるという問題がある。
【０００７】
そこで本発明は、複数の水路のピーク流出量をそれぞれ緩和して小規模の施設で雨水排水することができる水路系の雨水排水システムを提供するものである。
【課題を解決するための手段】
【０００８】
本発明の水路系の雨水排水システムは、放水路に接続された複数の水路が相互に連結水路で連結され、前記複数の水路の水位差により水位の高い水路の雨水が連結水路を通って水位の低い他の水路へ貯留される水路系が形成されていることを特徴とする。放水路にさらに別の放水口を設けてもよい。
【０００９】
図１（ａ）は本発明により水路Ａ、水路Ｂ及び水路Ｃを連結した水路系の系統図、（ｂ）は水路Ａ、水路Ｂ及び水路Ｃを連結した場合の水路全体のハイドログラフである。
【００１０】
図１（ａ）に示すように水路Ａ、水路Ｂ及び水路Ｃを連結水路により相互に連結すると、水路の水位差により水位の高い水路の雨水が連結水路Ｄを通って水位の低い他の水路へ雨水が転流して貯留に余裕のある水路へ流すことができる。その結果、水路Ａ、水路Ｂ及び水路Ｃ全体の流量は、図１（ｂ）のハイドログラフに示すように、ｑ１、ｑ２及びｑ３に変化し、図５の各水路のハイドログラフと比較すると、ｑ１＜Ｑ１、ｑ２＜Ｑ２及びｑ３＜Ｑ３となって、各水路のピーク流出量の低下によって水位上昇を緩和させることになり、水路の氾濫を防ぐことが可能となる。
【発明の効果】
【００１１】
本発明は、複数の水路を連結水路で連結することによって、放水路の放水とともに、水位差で雨水の流向が転流して低い水位により水路内貯留能力を有する水路内へ雨水が流入するので、個別の水路のピーク流出量及び最高水位を低減することができる。その結果、水路から水があふれるのを阻止することが可能となるとともに、ピーク流出量が低減するので強制排水施設を設ける場合でも小規模な施設で対応することができる。
【発明を実施するための最良の形態】
【００１２】
以下、本発明により改修した水路系の実施例を図面により説明する。なお、図４は改修前の水路系を示す系統図であり、水路Ａ及び水路Ｂは放水路Ｆに連結され、放水路Ｆは放流口Ｆ１へ至り、また、水路Ｃは放水路Ｇに連結され、放水路Ｇは放流口Ｇ１へ至っている。
【実施例１】
【００１３】
図２（ａ）は本発明により図４の水路系を改修した後の水路系の実施例を示す水路系の系統図、（ｂ）は本実施例の連結水路の分合流部雨水の流れの模式図である。
【００１４】
図４に示す水路系の改修により、図２に示すように、水路Ａ、水路Ｂ及び水路Ｃを連結水路Ｆで相互に連結する。図２（ｂ）において、水路Ｂの連結水路の分合流部では、Ｂ水路をＡ水路及びＣ水路に連結水路Ｄで連結することにより、雨水を排水と同時に、分流あるいは合流させて各水路へ分配することが可能となる。
【００１５】
水路Ａ、水路Ｂ及び水路Ｃを連結水路Ｄにより相互に連結したので、水路Ａ、水路Ｂ及び水路Ｃのうち、例えば水位の高い水路Ａの雨水は、放流路Ｆから排水されるとともに、水位の低い他の水路Ｂあるいは水路Ｃへ連結水路Ｄを通って流れ込むことにより貯留されることになる。その結果、水位の高い水路Ａの水位の上昇が抑えられので、流出量がピーク流出量を超えないようにすることが可能となる。このように、水位の高い水路の雨水を放水路に排水するとともに、水位差により水位の低い水路に雨水を転流させることによりピーク流出量を低減させることができる。
【実施例２】
【００１６】
図３（ａ）は本発明による改修後の水路系の別実施例を示す水路の系統図、（ｂ）は本実施例の連結水路の分合流部雨水の流れの模式図である。
【００１７】
本実施例では、図３（ａ）に示すように実施例１と同じく連結水路Ｄで水路を連結するとともに、放流路Ｆに放流口Ｆ１に加えてさらに放流口Ｆ２により放流できるようにしたものである。
【００１８】
図３（ｂ）において、連結水路Ｄの分合流部では、Ｂ水路をＡ水路及びＣ水路に連結水路Ｄで連結し、排水とともに、雨水を分流あるいは合流させて各水路へ分配することが可能となる。
【００１９】
本実施例おいても、水路Ａ、水路Ｂ、水路Ｃが連結水路Ｄで連結されているため、実施例１と同様に、水位の高い水路から排水するとともに、水位差により水位の低い水路へ雨水を転流させることによりピーク流量を低減させることができる。また、放流口Ｆ２が増えたことにより、放流を放流口Ｆ１とＦ２分けることができるので、ピーク流量を低減させることができる。
【図面の簡単な説明】
【００２０】
【図１】（ａ）は本発明により水路Ａ、水路Ｂ及び水路Ｃを連結した水路系の系統図、（ｂ）は水路Ａ、水路Ｂ及び水路Ｃを連結した場合の水路全体のハイドログラフである。
【図２】（ａ）本発明による水路系の実施例を示す水路の系統図、（ｂ）は本実施例の連結水路の分合流部雨水の流れの模式図である。
【図３】（ａ）は本発明による改修後の水路系の別実施例を示す水路の系統図、（ｂ）は本実施例の連結水路の分合流部雨水の流れの模式図である。
【図４】改修前の水路の系統図である。
【図５】（ａ）は改修前の水路の系統図、（ｂ）、（ｃ）及び（ｄ）は各水路のハイドログラフである。
【符号の説明】
【００２１】
ｑ１〜ｑ３、Ｑ１〜Ｑ３：ピーク流出量
【図１】
2006037478.tif 000003
【図２】
2006037478.tif 000004
【図３】
2006037478.tif 000005
【図４】
2006037478.tif 000006
【図５】
2006037478.tif 000007